(57)【要約】【課題】開閉扉を駆動手段により強制的に開閉する場合であっても、開閉扉と前飾り部材との間に遊技球が噛み込まれるのを防止し、前飾り部材の装飾性を向上する。【解決手段】パチンコ球Ｐが通過可能な通過領域に対応する前飾り部材４０の裏面上端部４０ａは、垂直最短距離Ｗ１がパチンコ球Ｐの直径寸法に一致する位置まで開閉扉３５が開放した際に、開閉扉３５から前飾り部材４０への垂直ラインＬ１より下方に位置し、垂直最短距離がパチンコ球Ｐの直径寸法に一致する位置まで開閉扉３５が開放した際には、開閉扉３５からガラス板１２への垂直ラインＬ２より上方に位置するよう形成される。パチンコ球Ｐの通過が規制される通過規制領域に対応する前飾り部材４０の裏面上端部４０ａは、垂直最短距離Ｗ１がパチンコ球Ｐの直径寸法に一致する位置まで開閉扉３５が開放した際に、開閉扉３５から前飾り部材４０への垂直ラインＬ１より上方に位置するよう形成される。【選択図】図６
2008295915.tif 000002
【特許請求の範囲】
【請求項１】
遊技球が流下する遊技領域を前面側に形成した遊技盤と、前記遊技盤の前面から離間して配設されて前記遊技領域を覆う透明部材と、前記遊技盤に配設され、遊技領域を流下する遊技球が入賞可能な入賞装置とを有し、
前記入賞装置は、
前記遊技盤に取り付けられ、前方に開口する入賞口を介して遊技球が入賞可能な入賞空間を画成する装置本体と、
前記装置本体に設けられて前記入賞空間に入賞した遊技球を排出する球排出口と、
前記装置本体に揺動可能に枢支されて前記入賞口を開閉可能に閉成し、上端部が前記透明部材へ近接することで該入賞口を開放する開閉扉と、
前記装置本体に配設されて前記開閉扉に連繋接続し、該開閉扉を強制的に開閉動作させる駆動手段と、
前記装置本体に取り付けられて前記開閉扉の前方に位置し、該装置本体との間を遊技球が通過可能な距離離間する前飾り部材とを備えるよう構成された遊技機において、
前記開閉扉が閉成位置にある状態で、前記開閉扉と前飾り部材との間の領域を、遊技球が通過可能な通過領域と、遊技球の通過が規制される通過規制領域とに区分する通過領域区画手段を備え、
前記通過領域に対応する前記前飾り部材の裏面上端部は、前記開閉扉から前記前飾り部材の裏面までの垂直最短距離が遊技球の直径寸法に一致する位置まで開閉扉が開放した際に、該垂直距離が最短となる開閉扉から前飾り部材への垂直ラインより下方に位置すると共に、当該開閉扉から前記透明部材までの垂直最短距離が遊技球の直径寸法に一致する位置まで開閉扉が開放した際に、該垂直距離が最短となる開閉扉から透明部材への垂直ラインより上方に位置するよう形成され、
前記通過規制領域に対応する前記前飾り部材の裏面上端部は、前記開閉扉から前記前飾り部材の裏面までの垂直最短距離が遊技球の直径寸法に一致する位置まで開閉扉が開放した際に、該垂直距離が最短となる開閉扉から前飾り部材への垂直ラインより上方に位置するよう形成される
ことを特徴とする遊技機。
【請求項２】
前記開閉扉は、前記装置本体における前記入賞口の上端縁より上方に上端が位置するよう形成され、
前記装置本体における前記入賞口の上端縁と、前記通過領域に対応する前記前飾り部材の裏面上端部とは、同一水平位置となるよう形成される請求項１記載の遊技機。
【請求項３】
前記装置本体は、前記遊技盤の前面に固定される台板部と、該台板部の裏側に固定されて遊技盤に形成した開口部に挿入される本体部とを備え、
前記台板部における前記入賞口の上端縁を画成する縁部には、前記開閉扉の上端が臨む凹状の段部が形成されて、閉成位置にある開閉扉の上端が台板部の前面から突出しないよう構成される請求項２記載の遊技機。
【請求項４】
前記開閉扉の上端部には、前方へ向けて下方傾斜する第１テーパ面が形成されると共に、前記通過領域に対応する前記前飾り部材の上端部には、後方へ向けて下方傾斜する第２テーパ面が形成される請求項１〜３の何れか一項に記載の遊技機。
【請求項５】
前記第２テーパ面は、前記開閉扉から前記前飾り部材の裏面までの垂直最短距離が遊技球の直径寸法に一致する位置まで開閉扉が開放した際に、該垂直距離が最短となる開閉扉から前飾り部材への垂直ライン上に位置するよう形成される請求項４記載の遊技機。
【請求項６】
前記通過領域区画手段として、前記開閉扉に前方へ突出する突起部が形成されている請求項１〜５の何れか一項に記載の遊技機。
【請求項７】
図柄変動ゲームを行なう図柄表示装置を前記遊技盤に配設すると共に、該遊技盤における前記入賞装置の上方に近接する位置に、該図柄表示装置での図柄変動ゲームの開始契機となる始動入賞装置を前記通過領域区画手段として配設した請求項１〜６の何れか一項に記載の遊技機。
【発明の詳細な説明】
【技術分野】
【０００１】
本発明は、遊技球が流下する遊技領域を形成した遊技盤の前側に離間した状態で透明部材を配設すると共に、該遊技領域を流下する遊技球が入賞可能な入賞装置を遊技盤に配設した遊技機に関するものである。
【背景技術】
【０００２】
例えば遊技機の代表例の一つであるパチンコ機は、パチンコ球が流下する遊技領域を前面側に形成した遊技盤に各種入賞装置を配設して、該遊技領域を流下するパチンコ球が入賞装置に入賞することで、所定の遊技を展開するよう構成されている。例えば、前記遊技盤に図柄表示装置を配設し、前記入賞装置としての始動入賞装置へのパチンコ球の入賞により図柄表示装置で所要の図柄変動ゲームを行なうと共に、この図柄変動ゲームの結果、図柄表示装置に特定の図柄の組合わせが表示された場合には、入賞装置として別途設けた特別入賞装置を開放して遊技者が多数の賞球を獲得可能な大当りを発生するよう構成されたものが広く知られている。また、前記遊技盤の前側には、ガラス板等の透明部材が前面から離間した状態で配設されて、前記遊技領域を流下するパチンコ球の飛散を防止しつつ、遊技を楽しめるよう構成される。
【０００３】
ここで、前記特別入賞装置には、入賞口を介して前方に開口する入賞空間が内部画成されると共に、入賞口を常には閉成する開閉扉が設けられており、前記特別遊技の発生時に開閉扉が前方(透明部材側)へ開放することで、入賞口を介して入賞空間にパチンコ球が入賞し得るよう構成されたものが知られている(例えば、特許文献１参照)。このような開閉扉が前方へ開放するタイプの入賞装置では、開閉扉の寸法設定によっては、開閉扉が開閉するに際して開閉扉とガラス板との間でパチンコ球の噛み込みが起こり得ることから、遊技者に不信感を与えたり、遊技店に多大な損害を与えることがある。また、開閉扉の寸法設定によっては、開閉扉が開放した状態であっても開閉扉とガラス板との間をパチンコ球が通過してしまうことがあり得るから、遊技者に対して不満や違和感を与えることにも繋がる。このような不具合を解消する観点から、特許文献１には、前記開閉扉の前方に離間する位置に前飾り部材を配設する構成が提案されている。
【特許文献１】特開２００３−２０５１０５号公報
【発明の開示】
【発明が解決しようとする課題】
【０００４】
ところで、特許文献１に記載されたパチンコ機では、開閉扉の前面に設けたウェイト部材の自重により開閉扉を開放するよう構成されており、該開閉扉の開放途中でパチンコ球を前飾り部材との間に噛み込みそうになった場合でも扉が閉鎖方向に逃げ、パチンコ球の噛み込みが防止される。しかしながら、パチンコ機が遊技に供されている状態では、特別入賞装置に対するタバコのヤニや結露の付着、開閉扉を支持する軸部の摩耗等に起因した摩擦抵抗の増大等によって、自重により開閉扉を開放する構成では、該開閉扉が確実に開放されない問題が起こり得る。従って、開閉扉を駆動手段の駆動により強制的に開閉動作させ、開閉扉を確実に開閉することが望まれる。しかしながら、駆動手段により開閉扉を強制的に開閉動作させる構成では、該開閉扉の開放途中で前飾り部材との間にパチンコ球を噛み込みそうになった場合に扉を閉鎖方向に逃し得ないから、そのまま前飾り部材との間にパチンコ球を噛み込む虞がある。ここで、開閉扉および前飾り部材によるパチンコ球の噛み込みは、前飾り部材を小さく(低く)することで防止し得るが、この場合には前述した開閉扉とガラス板との間の噛み込みを防止し得ない欠点がある。また、前飾り部材を小さくすると装飾性が損なわれることから、前飾り部材をできる限り大きく形成したいといった要請もある。
【０００５】
そこで、本発明は、開閉扉を駆動手段により強制的に開閉する場合であっても、開閉扉と前飾り部材との間に遊技球が噛み込まれるのを防止し得ると共に、前飾り部材の装飾性を向上し得る遊技機を提供する。
【課題を解決するための手段】
【０００６】
前記課題を克服し、所期の目的を達成するため、本願の請求項１に係る遊技機は、
遊技球(P)が流下する遊技領域(11)を前面(10a)側に形成した遊技盤(10)と、前記遊技盤(10)の前面(10a)から離間して配設されて前記遊技領域(11)を覆う透明部材(12)と、前記遊技盤(10)に配設され、遊技領域(11)を流下する遊技球(P)が入賞可能な入賞装置(20)とを有し、
前記入賞装置(20)は、
前記遊技盤(10)に取り付けられ、前方に開口する入賞口(23)を介して遊技球(P)が入賞可能な入賞空間(24)を画成する装置本体(22)と、
前記装置本体(22)に設けられて前記入賞空間(24)に入賞した遊技球(P)を排出する球排出口(28)と、
前記装置本体(22)に揺動可能に枢支されて前記入賞口(23)を開閉可能に閉成し、上端部が前記透明部材(12)へ近接することで該入賞口(23)を開放する開閉扉(35)と、
前記装置本体(22)に配設されて前記開閉扉(35)に連繋接続し、該開閉扉(35)を強制的に開閉動作させる駆動手段(32)と、
前記装置本体(22)に取り付けられて前記開閉扉(35)の前方に位置し、該装置本体(22)との間を遊技球(P)が通過可能な距離離間する前飾り部材(40)とを備えるよう構成された遊技機において、
前記開閉扉(35)が閉成位置にある状態で、前記開閉扉(35)と前飾り部材(40)との間の領域を、遊技球(P)が通過可能な通過領域(AR1)と、遊技球(P)の通過が規制される通過規制領域(AR2,AR3)とに区分する通過領域区画手段(15,18,37)を備え、
前記通過領域(AR1)に対応する前記前飾り部材(40)の裏面上端部(40a)は、前記開閉扉(35)から前記前飾り部材(40)の裏面までの垂直最短距離(W1)が遊技球(P)の直径寸法に一致する位置まで開閉扉(35)が開放した際に、該垂直距離が最短となる開閉扉(35)から前飾り部材(40)への垂直ライン(L1)より下方に位置すると共に、当該開閉扉(35)から前記透明部材(12)までの垂直最短距離(W2)が遊技球(P)の直径寸法に一致する位置まで開閉扉(35)が開放した際に、該垂直距離が最短となる開閉扉(35)から透明部材(12)への垂直ライン(L2)より上方に位置するよう形成され、
前記通過規制領域(AR2,AR3)に対応する前記前飾り部材(40)の裏面上端部(40a)は、前記開閉扉(35)から前記前飾り部材(40)の裏面までの垂直最短距離(W1)が遊技球(P)の直径寸法に一致する位置まで開閉扉(35)が開放した際に、該垂直距離が最短となる開閉扉(35)から前飾り部材(40)への垂直ライン(L1)より上方に位置するよう形成されることを要旨とする。
【０００７】
このように、前飾り部材の裏面までの垂直最短距離が遊技球の直径寸法に一致する位置まで開閉扉が開放した状態で、垂直距離が最短となる開閉扉から前飾り部材への垂直ラインより下方に、通過領域に対応する前飾り部材の裏面上端部を位置させることで、当該開閉扉と前飾り部材との間に遊技球を噛み込むのを防止できる。また、透明部材までの垂直最短距離が遊技球の直径寸法に一致する位置まで開閉扉が開放した状態で、該垂直距離が最短となる開閉扉から透明部材への垂直ラインより上方に、通過領域に対応する前飾り部材の裏面上端部を位置させることで、当該開閉扉と透明部材との間に遊技球を噛み込むのを防止できる。すなわち、駆動手段により強制的に開閉扉を開閉しても、遊技球の噛み込みを防止できる。
【０００８】
更に、通過領域区画手段により、開閉扉が閉成位置にある状態で装置本体と前飾り部材との間に遊技球の通過が規制される通過規制領域を形成するようにしたから、該通過規制領域に対応する前飾り部材では、前飾り部材までの垂直最短距離が遊技球の直径寸法に一致する位置まで開閉扉が開放した状態で、該垂直距離が最短となる開閉扉から前飾り部材への垂直ラインより上方に、裏面上端部を位置させることができる。すなわち、前飾り部材の形状等の自由度を高くでき、装飾性の向上を図り得る。
【０００９】
請求項２に係る遊技機は、前記開閉扉(35)は、前記装置本体(22)における前記入賞口(23)の上端縁より上方に上端が位置するよう形成され、
前記装置本体(22)における前記入賞口(23)の上端縁と、前記通過領域(AR1)に対応する前記前飾り部材(40)の裏面上端部(40a)とは、同一水平位置となるよう形成されることを要旨とする。
【００１０】
このように、装置本体における入賞口の上端縁と、通過領域に対応する前飾り部材の裏面上端部とを同一水平位置となるよう形成することで、開閉扉および前飾り部材による遊技球の噛み込みを防止しつつ前飾り部材を最大限まで大きくでき、前飾り部材の装飾性が向上する。
【００１１】
請求項３に係る遊技機は、前記装置本体(22)が、前記遊技盤(10)の前面(10a)に固定される台板部(25)と、該台板部(25)の裏側に固定されて遊技盤(10)に形成した開口部(10c)に挿入される本体部(26)とを備え、
前記台板部(25)における前記入賞口(23)の上端縁を画成する縁部には、前記開閉扉(35)の上端が臨む凹状の段部(25a)が形成されて、閉成位置にある開閉扉(35)の上端が台板部(25)の前面(10a)から突出しないよう構成されることを要旨とする。
【００１２】
このように、開閉扉が台板部より前側に突出しないから、遊技領域を流下する遊技球の流下方向に影響を及ぼすことはない。また、開閉扉を台板部の段部に臨ませることで、該開閉扉の不正開放を防止できる。
【００１３】
請求項４に係る遊技機は、前記開閉扉(35)の上端部には、前方へ向けて下方傾斜する第１テーパ面(35a)が形成されると共に、前記通過領域(AR1)に対応する前記前飾り部材(40)の上端部には、後方へ向けて下方傾斜する第２テーパ面(40b)が形成されることを要旨とする。
【００１４】
このように、第１テーパ面および第２テーパ面により遊技球をスムーズに流下させることができる。また、前飾り部材の裏面までの垂直最短距離が遊技球の直径寸法に一致する位置まで開閉扉が開放した状態で、通過領域に対応する前飾り部材の裏面上端部と開閉扉との間に位置する遊技球は、前飾り部材の第２テーパ面に沿って外方へ押し出されるから、遊技球の噛み込みをより確実に防止できる。更に、 第２テーパ面を形成することで、前飾り部材の裏面上端部よりも前面上端部の方が上方に位置するから、開閉扉および前飾り部材による遊技球の噛み込みを防止しつつ前飾り部材を最大限まで大きくでき、前飾り部材の装飾性が向上する。
【００１５】
請求項５に係る遊技機は、前記第２テーパ面(40b)は、前記開閉扉(35)から前記前飾り部材(40)の裏面までの垂直最短距離(W1)が遊技球(P)の直径寸法に一致する位置まで開閉扉(35)が開放した際に、該垂直距離が最短となる開閉扉(35)から前飾り部材(40)への垂直ライン(L1)上に位置するよう形成されることを要旨とする。
【００１６】
このように、前記第２テーパ面を、開閉扉から前飾り部材の裏面までの垂直最短距離が遊技球の直径寸法に一致する位置まで開閉扉が開放した際に、該垂直距離が最短となる開閉扉から前飾り部材への垂直ライン上に位置するよう形成することで、開閉扉および前飾り部材による遊技球の噛み込みを防止しつつ前飾り部材を最大限まで大きくでき、前飾り部材の装飾性が向上する。
【００１７】
請求項６に係る遊技機は、前記通過領域区画手段として、前記開閉扉(35)に前方へ突出する突起部(37)が形成されていることを要旨とする。
【００１８】
このように、通過領域区画手段としての突起部を開閉扉に形成することで、突起部を前飾り部材で覆い隠すことができ、見栄えが悪くなることはない。また、開閉扉に突起部を形成することで通過領域と通過規制領域とを区分できるから、通過領域区画手段を別途設ける構成と比べて、スペースの有効利用が可能となる。
【００１９】
請求項７に係る遊技機は、図柄変動ゲームを行なう図柄表示装置(13)を前記遊技盤(10)に配設すると共に、該遊技盤(10)における前記入賞装置(20)の上方に近接する位置に、該図柄表示装置(13)での図柄変動ゲームの開始契機となる始動入賞装置(15)を前記通過領域区画手段として配設したことを要旨とする。
【００２０】
このように、通過領域区画手段として遊技に利用される始動入賞装置を用いることで、通過領域区画手段としての部材を別途設ける必要がなく、コストの削減を図り得る。
【発明の効果】
【００２１】
本発明に係る遊技機によれば、開閉扉と前飾り部材との間、および開閉扉と透明部材との間に遊技球が噛み込まれるのを防止し得ると共に、前飾り部材の装飾性を向上することができる。
【発明を実施するための最良の形態】
【００２２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すようにパチンコ機に設置した遊技盤１０を正面側(遊技者側)から見た状態を基準として、遊技者側を前方と指称し、遊技盤１０の裏側を後方と指称するものとする。
【実施例】
【００２３】
図１はパチンコ機に設けられる遊技盤１０の正面図を示す。実施例の遊技盤１０は、略矩形状に形成されて、その盤面(前面)１０ａに略円形状に湾曲するレール１０ｂが取付けられており、該レール１０ｂにより画成される遊技領域１１に、図示しない発射装置によってパチンコ球Ｐ(図６〜図８等参照)を打出すようになっている。なお実施例に係るパチンコ機には、前記遊技盤１０の盤面１０ａから離間する位置にペアガラス構造のガラス板(透明部材)１２が配設されており(図４〜図８参照)、前記遊技領域１１をガラス板１２で透視可能に覆っている。なお、一般的なパチンコ機は、垂直面に対して略５度後傾した姿勢で遊技店に設置される。
【００２４】
また、前記遊技盤１０には、各種の図柄を変動・停止表示して図柄変動ゲームを行なう液晶式やドラム式等の図柄表示装置１３を備えたセンター役物と称される大型遊技部品１４が配設されると共に、該大型遊技部品１４の下方位置に、前記遊技領域１１を流下するパチンコ球Ｐが入賞可能な始動入賞装置(通過領域区画手段)１５が配設されており、該始動入賞装置１５にパチンコ球Ｐが入賞することで、図柄表示装置１３での図柄変動ゲームが開始されるよう構成されている。そして、図柄変動ゲームの結果、前記図柄表示装置１３に特定の図柄組合わせ(例えば、同一図柄の三つ揃)が表示されることで大当りが発生するよう構成される。また、遊技盤１０における始動入賞装置１５の下方位置には、大当り発生時に開放してパチンコ球Ｐの入賞を許容する特別入賞装置(入賞装置)２０が配設されており、該特別入賞装置２０にパチンコ球Ｐが入賞することで、球払出装置から機前面側に設けた球皿(何れも図示せず)に賞球が払出されるようになっている。なお、遊技盤１０には、遊技領域１１を流下するパチンコ球Ｐが入賞可能な一般入賞装置１６が複数箇所に設けられると共に、該遊技盤１０における遊技領域１１の最下方位置には、始動入賞装置１５や特別入賞装置２０、一般入賞装置１６に入賞しないパチンコ球Ｐを排出するアウト口１７を設けてある。
【００２５】
また、遊技盤１０の盤面１０ａには、パチンコ球Ｐの流路を規定する多数の遊技釘(通過領域区画手段)１８が植設されており、前記始動入賞装置１５と遊技釘１８とにより、特別入賞装置２０へ向けてパチンコ球Ｐが流下可能な経路を規定している。具体的には、前記始動入賞装置１５は、前記特別入賞装置２０の左右方向における略中央位置の上方に近接配置されると共に、該始動入賞装置１５の左右下方位置に遊技釘１８が植設されて、始動入賞装置１５の左側方および右側方からのみ、パチンコ球Ｐが特別入賞装置２０へ向けて流下し得るよう構成されている。
【００２６】
（特別入賞装置２０）
図２〜図８に示すように、前記特別入賞装置２０は、前記遊技盤１０に取り付けられ、前方に開口する入賞口２３を介してパチンコ球Ｐが入賞可能な入賞空間２４を画成する装置本体２２と、該装置本体２２の入賞口２３を開閉する開閉扉３５と、該開閉扉３５を強制的に開閉動作させるソレノイド(駆動手段)３２とから基本的に構成されている。また、前記装置本体２２には、前記開閉扉３５の前方に位置し、該装置本体２２との間をパチンコ球Ｐが通過可能な距離だけ離間する位置に前飾り部材４０が取り付けられている。
【００２７】
（装置本体２２）
前記装置本体２２は、平板状の台板部２５と、該台板部２５の裏側に固定される本体部２６とから構成され、遊技盤１０に開設した取付孔(開口部)１０ｃ(図４〜図８参照)内に本体部２６を前側から挿入した状態で、台板部２５が遊技盤１０に固定される。ここで、前記台板部２５には、パチンコ球Ｐが通過可能な横長矩形状の入賞口２３が前後に貫通するよう形成され、前記本体部２６には、該台板部２５の入賞口２３に整合する形状で前方へ開口する入賞空間２４が画成されている。また、前記本体部２６における前記入賞空間２４の後方位置には、該入賞空間２４内に連通する球通路２７が右側に偏った位置に設けられており、該球通路２７には、下方に開口する球排出口２８が開設されている。なお、前記入賞空間２４を画成する底面は、前記球通路２７へ向けて下方傾斜するよう形成されて、入賞空間２４に入賞したパチンコ球Ｐを球通路２７へ案内して前記球排出口２８から最終的に排出するようになっている。また、前記球通路２７の球入口には、パチンコ球Ｐを検出する球検出センサ２９が配設されており、該球検出センサ２９がパチンコ球Ｐを検出することで、所定数の賞球が払出されるようになっている。
【００２８】
図３に示すように、前記本体部２６における左側部には、前記ソレノイド３２を設置する設置部３０が設けられており、該設置部３０にプランジャ３２ａを前方へ向けた姿勢でソレノイド３２が設置される。また、前記プランジャ３２ａには、該プランジャ３２ａの前後移動に伴って上下方向に揺動変位する連繋部材３３が取り付けられており、該連繋部材３３が開閉扉３５に連繋接続するよう構成される。なお、前記ソレノイド３２が非励磁状態(非通電状態)の場合には、前記連繋部材３３の前端部が下方に位置し、該ソレノイド３２に通電した励磁された状態では、該連繋部材３３の前端部が上方へ向けて揺動変位するよう構成される。
【００２９】
（開閉扉３５）
前記開閉扉３５は、前記入賞口２３の開口形状に略合致する横長矩形板状に形成されて、その左右側面の下端部に設けられた支軸(図示せず)を介して前記本体部２６に揺動自在に枢支される。すなわち、前記開閉扉３５は、前記入賞口２３を閉成する閉成位置(図４参照)から上端が前記ガラス板１２へ近接する方向へ回転することで、該入賞口２３を開放する開放位置(図５参照)へ変位する。ここで、前記開閉扉３５が開放位置に変位した状態では、図示しないストッパにより後方へ向けて下方傾斜する姿勢に開閉扉３５が位置規制され、遊技領域１１を流下するパチンコ球Ｐを開閉扉３５で受止めて入賞空間２４に案内するようになっている。
【００３０】
前記開閉扉３５の左下端部には、前記閉成位置にある状態で後方へ突出する作動片３６が上下に離間する位置に形成されており、該上下の作動片３６の間に、前記ソレノイド３２に接続された前記連繋部材３３の前端部が臨むよう構成される。そして、開閉扉３５が閉鎖位置にある状態では、前記ソレノイド３２の励磁(通電)により前記連繋部材３３が上方へ揺動変位することで上側の作動片３６を押し上げて開閉扉３５を開放位置へ強制的に回転させ、開閉扉３５が開放位置にある状態では、ソレノイド３２の非励磁(非通電)により連繋部材３３が下方へ揺動することで下側の作動片３６を押し下げて開閉扉３５を閉成位置へ強制的に回転させるよう構成される。
【００３１】
ここで、前記台板部２５における前記入賞口２３の上端縁を画成する縁部には、図４に示すように、凹状の段部２５ａが形成されており、閉成位置にある開閉扉３５の上端が該段部２５ａに臨むようになっている。また、前記開閉扉３５の上端には、閉成位置を基準として前方へ向けて下方傾斜する第１テーパ面３５ａが形成されている。すなわち、前記段部２５ａに開閉扉３５の上端を臨ませることで、遊技領域１１を流下するパチンコ球Ｐが開閉扉３５に接触するのを抑制すると共に、開閉扉３５にパチンコ球Ｐが接触した際の衝撃を逃がすようになっている。また、前記開閉扉３５の前面には、左右端部に前方へ突出する突起部(通過領域区画手段)３７,３７が形成されている。
【００３２】
（前飾り部材４０）
前記前飾り部材４０は、前面に所要の装飾が施された平板状の部材であって、後方へ突出する支持部４１,４１が左右方向に離間する位置に形成されている。そして、前記支持部４１,４１を前記台板部２５に固定することで、閉成位置にある開閉扉３５からパチンコ球Ｐが通過可能な距離だけ離間する位置に前飾り部材４０が固定される。また、前記支持部４１,４１は、前記台板部２５に形成された前記入賞口２３の左右側縁部に沿って延在するよう形成されている。すなわち、前記開閉扉３５が開放位置にある状態で、前記台板部２５(開閉扉３５)と、前飾り部材４０と、左右の支持部４１,４１とにより囲まれた領域４３(以下入賞可能領域という)にパチンコ球Ｐが流下した場合に、前記特別入賞装置２０の入賞口２３に入賞し得るようになっている。
【００３３】
ここで、図２に示すように、前記始動入賞装置１５は、前記入賞可能領域４３の左右方向の中央部上方に位置するよう前記遊技盤１０に配置されており、この入賞可能領域４３の中央部に対しては遊技領域１１を流下するパチンコ球Ｐが通過しないよう構成されている。更に、前記始動入賞装置１５の左右側方に植設した遊技釘１８により、遊技領域１１を流下するパチンコ球Ｐを減勢したもとで前記入賞可能領域４３へパチンコ球Ｐが移動するよう構成されており、この入賞可能領域４３の中央部に対するパチンコ球Ｐの通過がより困難になるよう構成されている。すなわち、実施例に係る入賞可能領域４３は、前記始動入賞装置１５および遊技釘１８により、左右側部側のパチンコ球Ｐが通過可能な領域ＡＲ１と、中央側のパチンコ球Ｐの通過が規制される領域ＡＲ２とに区分される。また同様に、前記開閉扉３５が閉成位置にある状態では、該開閉扉３５の前面に形成した前記左右の突起部３７,３７によりパチンコ球Ｐの通過が規制される領域ＡＲ３が形成される。
【００３４】
なお、以下の説明で、入賞可能領域４３においてパチンコ球Ｐが通過可能な領域を通過領域ＡＲ１と指称し、遊技盤１０に設けた始動入賞装置１５や遊技釘１８によりパチンコ球Ｐの通過が規制される領域を第１通過規制領域ＡＲ２と指称し、前記開閉扉３５に形成した突起部３７によりパチンコ球Ｐの通過が規制される領域を第２通過規制領域ＡＲ３と指称して区別することもある。
【００３５】
次に、前記開閉扉３５と前飾り部材４０との関係につき説明する。前記通過領域ＡＲ１に対応する前記前飾り部材４０の裏面上端部４０ａの上限位置は、開閉扉３５から前飾り部材４０の裏面までの垂直最短距離Ｗ１がパチンコ球Ｐの直径寸法に一致する位置まで開閉扉３５を開放した状態で、該垂直距離が最短となる開閉扉３５から前飾り部材４０への垂直ラインＬ１より下方に設定される(図６参照)。換言すれば、前記通過領域ＡＲ１に対応する前記前飾り部材４０は、前記開閉扉３５の上端部から前飾り部材４０の裏面までの垂直最短距離Ｗ１がパチンコ球Ｐの直径寸法に一致した状態では、開閉扉３５および前飾り部材４０の両部材にパチンコ球Ｐが同時に接触しないよう形成されている。
【００３６】
また、前記通過領域ＡＲ１に対応する前飾り部材４０における裏面上端部４０ａの下限位置は、前記開閉扉３５から前記ガラス板１２までの垂直最短距離Ｗ２がパチンコ球Ｐの直径寸法に一致する位置まで開閉扉３５を開放した状態で、該垂直距離が最短となる開閉扉３５からガラス板１２への垂直ラインＬ２より上方に位置するよう設定される(図７参照)。換言すれば、前記通過領域ＡＲ１に対応する前飾り部材４０は、開閉扉３５の上端部からガラス板１２までの垂直最短距離Ｗ２がパチンコ球Ｐの直径寸法に一致する状態では、該開閉扉３５とガラス板１２との間に前飾り部材４０が位置するよう形成される。
【００３７】
また、前記第１通過規制領域ＡＲ２および第２通過規制領域ＡＲ３に対応する前記前飾り部材４０の裏面上端部４０ａは、前記開閉扉３５から前飾り部材４０の裏面までの垂直最短距離Ｗ１がパチンコ球Ｐの直径寸法に一致する位置まで開閉扉３５が開放した状態で、該垂直距離が最短となる開閉扉３５から前飾り部材４０への垂直ラインＬ１より上方に位置するよう形成される(図８参照)。すなわち、前述のように前記第１通過規制領域ＡＲ２および第２通過規制領域ＡＲ３にはパチンコ球Ｐが進入し得ないから、該第１および第２通過規制領域ＡＲ２,ＡＲ３に対応する位置では、開閉扉３５および前飾り部材４０の両部材にパチンコ球Ｐが同時に接触することはない。
【００３８】
ここで、実施例では、パチンコ機を前述した後傾姿勢で設置した際に、前記通過領域ＡＲ１に対応する前飾り部材４０の裏面上端部４０ａが前記特別入賞装置２０の入賞口２３の上端縁と同一水平位置となるよう形成するよう形成されている。また、前記前飾り部材４０の上端部には、左右方向の全長に亘って、後方へ向けて下方傾斜する第２テーパ面４０ｂが形成されている。すなわち、この前飾り部材４０の第２テーパ面４０ｂは、前記開閉扉３５から前記前飾り部材４０までの垂直最短距離Ｗ１がパチンコ球Ｐの直径寸法に一致した際に、前記通過領域ＡＲ１に対応する部位においては、開閉扉３５から前飾り部材４０までの垂直距離が最短となる垂直ラインＬ１上に位置する。
【００３９】
〔実施例の作用〕
次に、前述した実施例に係るパチンコ機の作用につき説明する。
【００４０】
前記遊技盤１０に設けたレール１０ｂに沿って遊技領域１１に打出されたパチンコ球Ｐは、遊技盤１０上に設けた遊技釘１８等に接触して流下方向を変更しながら流下する。そして、前記遊技領域１１を流下するパチンコ球Ｐが前記始動入賞装置１５に入賞すると、前記図柄表示装置１３において所要の図柄変動ゲームが開始されると共に、前記球払出装置により所定数の賞球(例えば４個の賞球)が払出される。そして、図柄変動ゲームの結果、図柄表示装置１３に特定の図柄組合わせが表示されると大当りが発生し、前記特別入賞装置２０の開閉扉３５が開放して入賞空間２４へのパチンコ球Ｐの入賞が許容される。
【００４１】
実施例のパチンコ機では、前記台板部２５(開閉扉３５)と、前記前飾り部材４０と、前記左右の支持部４１,４１とにより囲まれた入賞可能領域４３は、前記始動入賞装置１５や遊技釘１８、開閉扉３５に形成した突起部３７により、パチンコ球Ｐが通過可能な通過領域ＡＲ１と、パチンコ球Ｐの通過が規制される第１通過規制領域ＡＲ２とに区分するよう構成したから、遊技領域１１を流下するパチンコ球Ｐは、通過領域ＡＲ１に流下し得る。
【００４２】
ここで、前記通過領域ＡＲ１に対応する前飾り部材４０の裏面上端部４０ａは、前記開閉扉３５から前飾り部材４０までの垂直最短距離Ｗ１がパチンコ球Ｐの直径寸法に一致した状態で、該垂直距離が最短となる開閉扉３５から前飾り部材４０への垂直ラインＬ１より下方に位置する。すなわち、前記開閉扉３５の開放により、開閉扉３５から前飾り部材４０までの垂直最短距離Ｗ１がパチンコ球Ｐの直径寸法に一致した際に、当該垂直距離が最短となる位置に存在するパチンコ球Ｐは、開放する開閉扉３５に接触して前側に押し出されるから、該開閉扉３５と前飾り部材４０とによりパチンコ球Ｐが噛み込まれるのを防止される。なお、前記開閉扉３５の開放に際し、開閉扉３５から前飾り部材４０の裏面までの垂直最短距離Ｗ１がパチンコ球Ｐの直径寸法より大きい場合は、開閉扉３５と前飾り部材４０との間に到来したパチンコ球Ｐはそのまま落下できるから、両部材３５,４０により噛み込まれることはなく、また開閉扉３５から前飾り部材４０の裏面までの垂直最短距離Ｗ１がパチンコ球Ｐの直径寸法より小さい場合は、両部材３５,４０に接触可能なパチンコ球Ｐは開閉扉３５より下方に位置するから、該パチンコ球Ｐは噛み込まれることなくそのまま落下する。
【００４３】
このように、ソレノイド３２の駆動により開閉扉３５を強制的に開放する構成であっても、前飾り部材４０の裏面までの垂直最短距離Ｗ１がパチンコ球Ｐの直径寸法に一致する位置まで開閉扉３５が開放した状態で、通過領域ＡＲ１に対応する前飾り部材４０の裏面上端部４０ａを、該垂直距離が最短となる開閉扉３５から前飾り部材４０の裏面への垂直ラインＬ１より下方に位置するよう構成することで、当該開閉扉３５と前飾り部材４０との間にパチンコ球Ｐが噛み込まれるのを防止できる。
【００４４】
また、前記通過領域ＡＲ１に対応する前飾り部材４０の裏面上端部４０ａは、前記開閉扉３５からガラス板１２の裏面までの垂直最短距離Ｗ２がパチンコ球Ｐの直径寸法に一致する位置まで開閉扉３５が開放した際に、該垂直距離が最短となる開閉扉３５からガラス板１２への垂直ラインＬ２より上方に位置するよう形成してある。すなわち、前記開閉扉３５の開放により、該開閉扉３５からガラス板１２までの垂直最短距離Ｗ２がパチンコ球Ｐの直径寸法に一致した状態では、開閉扉３５とガラス板１２との間に前飾り部材４０が必ず位置するから、該前飾り部材４０により、当該開閉扉３５とガラス板１２とによりパチンコ球Ｐが噛み込まれるのを確実に防止できる。すなわち、実施例に係るパチンコ機では、前述のようにソレノイド３２への通電により開閉扉３５を強制的に開放する構成であっても、開閉扉３５と前飾り部材４０との間にパチンコ球Ｐが遊技球の噛み込まれるのを防止できる。
【００４５】
また、前記前飾り部材４０において前記第１通過規制領域ＡＲ２に対応する部分には、パチンコ球Ｐが通過し得ないから、前飾り部材４０までの垂直距離がパチンコ球Ｐの直径寸法に一致する位置まで開閉扉３５が開放した状態で、裏面上端部４０ａが開閉扉３５の上端より上方に位置するよう形成できる。すなわち、開閉扉３５と前飾り部材４０の間の領域(入賞可能領域４３)を、通過領域ＡＲ１と第１通過規制領域ＡＲ２とに区画することで、開閉扉３５と前飾り部材４０との間、および開閉扉３５とガラス板１２との間にパチンコ球Ｐが噛み込まれるのを防止でき、更には前飾り部材４０の形状等の自由度を高くできるから、パチンコ機の装飾性の向上を図り得る。
【００４６】
また、実施例では、前記通過領域ＡＲ１および第１通過規制領域ＡＲ２に区分する通過領域区画手段として、一般的なパチンコ機が備える始動入賞装置１５や遊技釘１８を用いるようにしたから、該通過領域区画手段としての部材を別途設ける必要がなく、開閉扉３５と前飾り部材４０との間のパチンコ球Ｐの噛み込みを低コストで防止し得る。一方、前記通過領域ＡＲ１区画手段として開閉扉３５に前方へ突出する突起部３７を形成する場合には、通過領域区画手段を別に設ける構成と比べて、設置スペースを小さくでき、スペースの有効利用が可能となる。また、開閉扉３５に形成される突起部３７は、開放位置にある状態では開閉扉３５の下方へ向けて突出するから、通過領域区画手段として機能し得ない。すなわち、開閉扉３５が開放位置にある状態では、第２通過規制領域ＡＲ３に対応する領域はパチンコ球Ｐが通過可能な通過領域ＡＲ１として機能するから、開閉扉３５の全体を利用してパチンコ球Ｐを入賞口２３へ案内することができる。なお、前記突起部３７は前飾り部材４０で覆い隠されるから、見栄えが悪くなることはない。
【００４７】
また、実施例では、前記開閉扉３５の上端を、前記特別入賞装置２０における入賞口２３の上端縁より上方まで延在するよう形成すると共に、前記通過領域ＡＲ１に対応する前飾り部材４０の裏面上端部４０ａを、前記特別入賞装置２０における入賞口２３の上端縁と同一水平位置となるよう形成してある。これにより、開閉扉３５および前飾り部材４０によるパチンコ球Ｐの噛み込みを防止しつつ、前飾り部材４０を大きくでき、前飾り部材４０の装飾性が向上する。また、パチンコ機を正面から見た状態では、前記前飾り部材４０により入賞口２３全体が覆い隠されるから、パチンコ機の見栄えを向上できる。特に、実施例のように、パチンコ機を後傾状態で設置する場合には、パチンコ機を直立状態で設置する場合に比べて、前飾り部材４０の上下寸法を短くしても入賞口２３を覆い隠し得るから、開閉扉３５と前飾り部材４０とによるパチンコ球Ｐの噛み込みをより確実に防止できる利点がある。ここで、前記特別入賞装置２０における台板部２５の入賞口２３の上端縁を画成する縁部に、凹状の段部２５ａを形成して、該段部２５ａに開閉扉３５の上端部が臨むよう構成してあるから、該台板部２５より前側に開閉扉３５が突出するのを防止して、遊技領域１１を流下するパチンコ球Ｐの流下方向に影響を及ぼすことはない。また、前記台板部２５の段部２５ａに前記開閉扉３５の上端部を臨ませることで、該台板部２５と開閉扉３５との間への異物の挿入を困難にでき、該開閉扉３５の不正開放を防止する効果も期待できる。
【００４８】
そして、前記開閉扉３５の上端部に形成した前方へ向けて下方傾斜する第１テーパ面３５ａにより、パチンコ球Ｐを入賞可能領域４３側に案内しながらスムーズに流下させることができる。同様に、前記前飾り部材４０の上端部に形成した後方へ向けて下方傾斜する第２テーパ面４０ｂにより、パチンコ球Ｐを入賞可能領域４３側に案内しながらスムーズに流下させることが可能である。更に、前記第２テーパ面４０ｂは、前記開閉扉３５から前飾り部材４０までの垂直最短距離Ｗ１がパチンコ球Ｐの直径寸法に一致する位置まで開閉扉３５が開放した際に、該垂直距離が最短となる開閉扉３５から前飾り部材４０への垂直ラインＬ１上に位置するよう形成されているから、垂直最短距離Ｗ１がパチンコ球Ｐの直径寸法に一致する状態で開閉扉３５に接触したパチンコ球Ｐは、前飾り部材４０の第２テーパ面４０ｂに沿って押し出され、パチンコ球Ｐの噛み込みをより確実に防止できる。更に、第２テーパ面４０ｂを形成することで、前飾り部材４０の裏面上端部４０ａよりも前面上端部の方が上方に位置するから、開閉扉３５および前飾り部材４０によるパチンコ球Ｐの噛み込みを防止しつつ前飾り部材４０を大きくでき、前飾り部材４０の装飾性向上を図り得る。
【００４９】
〔変更例〕
なお、本発明に係る遊技機としては、実施例のものに限られるものではなく、種々の変更が可能である。
実施例では、特別入賞装置の開閉扉を強制的に開閉動作させる駆動手段として、ソレノイドを採用したが、これに限られるものではなく、モータであってもよい。そして、駆動手段の作動により開閉扉を強制的に開閉動作させる構成に関しても、実施例に示したリンク機構に限定されるものではなく、例えばカム機構を利用したり、ギア機構を利用することで、開閉扉を開閉させるよう構成することができる。
【００５０】
実施例では、大当り発生時に開放する特別入賞装置に関して本発明を適用したが、これに限られるものではなく、開放するに際して開閉扉の上端部が透明部材へ近接するタイプの入賞装置であれば、何れの入賞装置にも適用可能である。
【００５１】
実施例では、遊技機を後傾状態で設置した際に、前記装置本体における前記入賞口の上端縁と、前記通過領域に対応する前記前飾り部材の裏面上端部とを同一水平位置となるよう構成したが、遊技機は必ずしも後傾状態で設置される必要はない。
【００５２】
実施例では、前記開閉扉と前飾り部材との間の領域を、遊技球が通過可能な通過領域と、遊技球の通過が規制される通過規制領域とに区分する通過領域区画手段として、遊技盤に取り付けられる始動入賞装置および遊技釘、開閉扉に形成される突起を示したが、これに限られるものではない。すなわち、遊技盤に配設されるセンター役物や照明装置を通過領域区画手段として機能するよう構成してもよく、また専用の部材を取り付けるようにしてもよい。
【００５３】
実施例では、開閉扉と前飾り部材との間の領域全体(具体的には入賞可能領域)を、通過領域区画手段により通過領域と通過規制領域とに区分するようにしたが、これに限られるものではない。すなわち、前記通過領域および通過規制領域の夫々は、少なくとも前飾り部材の裏面上端部に対応する位置において前記通過領域区画手段により区分されるよう構成すればよい。従って、前飾り部材の裏面上端部より下方では、開閉扉と前飾り部材との間の全域を遊技球が通過し得る形態であっても、実施例と同様の作用効果が得られる。
【図面の簡単な説明】
【００５４】
【図１】本発明の実施例に係る遊技盤を示す正面図である。
【図２】実施例に係る特別入賞装置と、始動入賞装置および遊技釘との位置関係を示す正面図である。
【図３】実施例に係る特別入賞装置を示す横断平面図であって、開閉扉を開放位置に変位した状態を示す。
【図４】実施例に係る特別入賞装置を、通過領域に対応する位置で縦断して示す側面図であって、開閉扉を閉成位置に変位した状態を示す。
【図５】実施例に係る特別入賞装置を、通過領域に対応する位置で縦断して示す側面図であって、開閉扉を開放位置に変位した状態を示す。
【図６】実施例に係る特別入賞装置を、通過領域に対応する位置で縦断して示す側面図であって、開閉扉から前飾り部材までの垂直最短距離がパチンコ球の直径に一致する状態を示す。
【図７】実施例に係る特別入賞装置を、通過領域に対応する位置で縦断して示す側面図であって、開閉扉からガラス板までの垂直最短距離がパチンコ球の直径に一致する状態を示す。
【図８】実施例に係る特別入賞装置を、第１通過規制領域に対応する位置で縦断して示す側面図であって、開閉扉から前飾り部材までの垂直最短距離がパチンコ球の直径に一致する状態を示す。
【符号の説明】
【００５５】
１０  遊技盤
１０ａ  盤面(遊技盤の前面)
１０ｃ  取付孔(開口部)
１１  遊技領域
１２  ガラス板(透明部材)
１５  始動入賞装置(通過領域区画手段)
１８  遊技釘(通過領域区画手段)
２０  特別入賞装置(入賞装置)
２２  装置本体
２３  入賞口
２４  入賞空間
２５  台板部
２５ａ  段部
２６  本体部
２８  球排出口
３２  ソレノイド(駆動手段)
３５  開閉扉
３５ａ  第１テーパ面
３７  突起部(通過領域区画手段)
４０  前飾り部材
４０ａ  裏面上端部
４０ｂ  第２テーパ面
４３  入賞可能領域(開閉扉と前飾り部材との間の領域)
ＡＲ１  通過領域
ＡＲ２  第１通過規制領域(通過規制領域)
ＡＲ３  第２通過規制領域(通過規制領域)
Ｐ  パチンコ球(遊技球)
Ｌ１  垂直距離が最短となる開閉扉から前飾り部材の裏面への垂直ライン
Ｌ２  垂直距離が最短となる開閉扉から透明部材への垂直ライン
Ｗ１  開閉扉から前飾り部材の裏面までの垂直最短距離
Ｗ２  開閉扉から透明部材までの垂直最短距離
【図１】
2008295915.tif 000003
【図２】
2008295915.tif 000004
【図３】
2008295915.tif 000005
【図４】
2008295915.tif 000006
【図５】
2008295915.tif 000007
【図６】
2008295915.tif 000008
【図７】
2008295915.tif 000009
【図８】
2008295915.tif 000010